(57)【要約】【課題】  広告単価の低減を図り、消費者に対して商品やサービスに関する詳細情報を的確に提供する。【解決手段】  本発明は、テレビ番組放送中にテレビ画面３の周辺部分に広告表示領域１０を設け、広告表示領域１０に広告を表示させるためのテレビ広告表示システムであって、広告表示領域１０の一部分１１に、広告ポータルサイトを特定するための広告ポータルサイト特定情報を所定時間継続して静止表示させるための処理を行う広告ポータルサイト特定情報表示処理手段１２と、広告表示領域１０の他の部分１３に、前記広告ポータルサイトに詳細情報が登録されている広告を特定するための広告特定情報を、前記広告ポータルサイト特定情報の表示時間より短時間表示させるための処理を行う広告特定情報表示処理手段１４とを備えていることを特徴とする。【選択図】  図１
2006246147.tif 000002
【特許請求の範囲】
【請求項１】
テレビ番組放送中にテレビ画面の周辺部分に広告表示領域を設け、該広告表示領域に広告を表示させるためのテレビ広告表示システムであって、
前記広告表示領域の一部分に、広告ポータルサイトを特定するための広告ポータルサイト特定情報を所定時間継続して静止表示させるための処理を行う広告ポータルサイト特定情報表示処理手段と、前記広告表示領域の他の部分に、前記広告ポータルサイトに詳細情報が登録されている広告を特定するための広告特定情報を、前記広告ポータルサイト特定情報の表示時間より短時間表示させるための処理を行う広告特定情報表示処理手段とを備えていることを特徴とするテレビ広告表示システム。
【請求項２】
前記広告特定情報表示処理手段は、前記広告特定情報をスクロール表示させるための処理を行うように構成されている請求項１に記載のテレビ広告表示システム。
【請求項３】
前記テレビ番組及び広告に関するテレビ放送信号を受信するためのテレビ放送受信手段と、
インターネットを介して前記ポータルサイトとの間で通信を行うためのインターネット通信手段と、
前記テレビ画面の広告表示領域の一部分に表示された前記広告ポータルサイトのアイコンを選択すると、前記インターネット通信手段を介して前記テレビ画面上に前記広告ポータルサイトのコンテンツを表示させるためのインターネット処理手段と、
をさらに備えている請求項１又は２に記載のテレビ広告表示システム。
【請求項４】
テレビ番組放送中にテレビ画面の周辺部分に設けられた広告表示領域に広告を表示させるテレビ広告表示方法であって、
広告ポータルサイト表示処理手段が、前記広告表示領域の一部分に、広告ポータルサイトを特定するための広告ポータルサイト特定情報を所定時間継続して静止表示させるための処理を行うステップと、
広告特定情報表示処理手段が、前記広告表示領域の他の部分に、前記広告ポータルサイトに詳細情報が登録されている広告を特定するための広告特定情報を、前記広告ポータルサイト特定情報の表示時間より短時間表示させるための処理を行うステップと、
を備えていることを特徴とするテレビ広告表示方法。
【請求項５】
前記広告特定情報表示処理手段が前記広告表示領域の他の部分に前記広告特定情報をスクロール表示させるための処理を行うステップをさらに備えている請求項４に記載のテレビ広告表示方法。
【請求項６】
テレビ放送受信手段が前記テレビ番組及び広告のテレビ放送信号を受信し、前記テレビ画面上に表示させるための処理を行うステップと、
前記テレビ画面の広告表示領域の一部分に表示された前記広告ポータルサイトのアイコンを選択すると、インターネット処理手段がインターネット通信手段を介して前記テレビ画面上に前記広告ポータルサイトのコンテンツを表示させるための処理を行うステップと、
をさらに備えている請求項４又は５に記載のテレビ広告表示方法。
【発明の詳細な説明】
【技術分野】
【０００１】
本発明は、テレビ番組放送中にテレビ画面の周辺部分に広告を表示させるためのテレビ広告表示システム及びその方法に関する。
【背景技術】
【０００２】
従来、民営のテレビ放送局は、企業等から広告を募集し、広告を放映することにより収入を得ている。そして、この種の広告は、通常、テレビ番組の合間の短い時間に放映されるようになっている（例えば、特許文献１参照）。
【０００３】
テレビの情報は流れさって行く為、流される情報や商品に興味を引いても、なかなか、その情報や商品に対し、すぐ詳しい情報を得ることができず、まして、リアルタイムには、まったく接触できなかった。そこで、今見た情報を、すぐネットで総合的に見られることに価値が生まれが、現在、Web上では、Blogと呼ばれる各サイトのアクセスを上げる為の、サイト同士の協力する相互リンクが盛んであるが、これは言わば、TV画面 と Web の相互リンクとも言える。両者を融合する仕組みです。
【特許文献１】特開平０８−１４９０９９号公報
【発明の開示】
【発明が解決しようとする課題】
【０００４】
このように、上記した従来のテレビ広告では、テレビ番組の合間の短い時間に多くの広告を流す必要があるため、１広告当りに割り当てられる時間は、数十秒程度と非常に短かった。そのため、テレビの視聴者に広告の内容を印象付けるには、同じ広告を何度も放映させたり、或いは、視聴者にインパクトのある広告を制作したりする必要があったため、広告費が嵩み、一部の大企業しか利用できないといった問題があった。
【０００５】
また、時間の制約のため、商品やサービスの内容を視聴者に十分に伝達することができないといった問題もあった。すなわち、従来のテレビ広告は短時間に流れ去っていくため、視聴者がその広告の商品やサービスに関心を抱いても、なかなか、その商品やサービスに関する詳細な情報を得ることができず、まして、そのような情報をリアルタイムに取得することは、まったく不可能であった。
【０００６】
本発明は、上記した課題を解決すべくなされたものであり、広告単価の低減を図り、資金力の乏しい中小企業やベンチャー企業も利用でき、さらに、消費者に対して商品やサービスに関する詳細情報を的確に提供することのできるテレビ広告表示システム及びその方法を提供しようとするものである。
【課題を解決するための手段】
【０００７】
本発明は、テレビ番組放送中にテレビ画面の周辺部分に広告表示領域を設け、該広告表示領域に広告を表示させるためのテレビ広告表示システムであって、前記広告表示領域の一部分に、広告ポータルサイトを特定するための広告ポータルサイト特定情報を所定時間継続して静止表示させるための処理を行う広告ポータルサイト特定情報表示処理手段と、前記広告表示領域の他の部分に、前記広告ポータルサイトに詳細情報が登録されている広告を特定するための広告特定情報を、前記広告ポータルサイト特定情報の表示時間より短時間表示させるための処理を行う広告特定情報表示処理手段とを備えていることを特徴とする。
【０００８】
そして、好ましくは、前記広告特定情報表示処理手段は、前記広告特定情報をスクロール表示させるための処理を行うように構成されているのがよい。
【０００９】
また、前記テレビ番組及び広告に関するテレビ放送信号を受信するためのテレビ放送受信手段と、インターネットを介して前記ポータルサイトとの間で通信を行うためのインターネット通信手段と、前記テレビ画面の広告表示領域の一部分に表示された前記広告ポータルサイトのアイコンを選択すると、前記インターネット通信手段を介して前記テレビ画面上に前記広告ポータルサイトのコンテンツを表示させるためのインターネット処理手段とをさらに備えているのがよい。
【００１０】
また、本発明は、テレビ番組放送中にテレビ画面の周辺部分に設けられた広告表示領域に広告を表示させるテレビ広告表示方法であって、広告ポータルサイト表示処理手段が、前記広告表示領域の一部分に、広告ポータルサイトを特定するための広告ポータルサイト特定情報を所定時間継続して静止表示させるための処理を行うステップと、広告特定情報表示処理手段が、前記広告表示領域の他の部分に、前記広告ポータルサイトに詳細情報が登録されている広告を特定するための広告特定情報を、前記広告ポータルサイト特定情報の表示時間より短時間表示させるための処理を行うステップとを備えていることを特徴とする。
【００１１】
そして、好ましくは、前記広告特定情報表示処理手段が前記広告表示領域の他の部分に前記広告特定情報をスクロール表示させるための処理を行うステップをさらに備えているのがよい。
【００１２】
また、テレビ放送受信手段が前記テレビ番組及び広告のテレビ放送信号を受信し、前記テレビ画面上に表示させるための処理を行うステップと、前記テレビ画面の広告表示領域の一部分に表示された前記広告ポータルサイトのアイコンを選択すると、インターネット処理手段がインターネット通信手段を介して前記テレビ画面上に前記広告ポータルサイトのコンテンツを表示させるための処理を行うステップとをさらに備えているのがよい。
【発明の効果】
【００１３】
本発明によれば、テレビ番組の放映中、テレビ画面の周辺部分の広告表示領域に広告ポータルサイト特定情報が所定時間、静止して表示されているため、視聴者が広告に関する詳細情報を知りたいと思った時に、その視聴者に対して広告ポータルサイト特定情報を書き留めたり、暗記したりするのに十分な時間を付与することができる。したがって、視聴者は、テレビ番組の放映中、或いは終了後等に、広告ポータルサイトを介して、その広告の詳細情報を容易に入手することができ、広告の商品やサービスの内容を的確に把握することができる。
【００１４】
また、テレビ画面に広告を表示する時間の制約がなくなり、また、多数の広告を短時間に表示することができるため、広告単価を低く抑えることができ、資金力の乏しい中小企業やベンチャー企業等、テレビ広告の利用者層の拡大を図ることができる等、種々の優れた効果を得ることができる。
【発明を実施するための最良の形態】
【００１５】
以下、図面を参照しつつ、本発明の実施の形態について説明する。
【００１６】
先ず、図１〜図４を参照しつつ、本発明の第１の実施の形態に係るテレビ広告表示システム及びその方法について説明する。ここで、図１は本実施の形態に係るテレビ広告表示配信システムの全体構成を示す概略図、図２は本実施の形態に係るテレビ広告表示配信方法の処理手順を示すフローチャート、図３は（ａ）がテレビ番組放映中のテレビ画面を示す正面図、（ｂ）が広告ポータルサイトを表示中のテレビ画面を示す正面図であり、図４はテレビ画面に広告を表示した別の例を示す正面図である。
【００１７】
本実施の形態に係るテレビ広告表示配信システムは、インターネット受信機能付きテレビに適用したものであり、アンテナ１を介してアナログ放送やデジタル放送などのテレビ放送を受信するテレビ放送受信部２と、テレビ放送受信部２により受信したテレビ放送をテレビ画面３に表示させるために所定の処理を行うテレビ放送処理部４と、インターネット５を介して広告ポータルサイトを配信するコンテンツ配信サーバ６と通信を行うインターネット通信部７と、インターネット通信部７を介して取得したデータに基づきテレビ画面に表示を行うために所定の処理を行うインターネット処理部８と、テレビ画面３とから概略構成されている。
【００１８】
また、テレビ放送処理部４は、テレビ番組を生成し、放映するための処理を行うテレビ番組放映処理部９と、テレビ画面３の下部に上下２段で帯状に形成された広告表示領域１０の下段部分１１に、前記広告ポータルサイトの名称、ＵＲＬ（Uniform Resource Locator）、アイコン１６等、広告ポータルサイトを特定するための広告ポータルサイト特定情報を所定時間、例えば、１０分間、継続して静止表示させるための処理を行う広告ポータルサイト特定情報表示処理部１２と、広告表示領域１０の上段部分１３に、前記広告ポータルサイトに詳細情報が登録されている広告の主体、内容等、広告を特定するための広告特定情報を、前記広告ポータルサイト特定情報の表示時間より短時間、例えば、１０秒間、スクロール表示させるための処理を行う広告特定情報表示処理部１４とを備えている。
【００１９】
次に、主に図１及び図２を参照しつつ、本発明の実施の形態に係るテレビ広告表示方法の処理手順について説明する。
【００２０】
テレビ放送受信部２が、アンテナ１を介して、映像と音声に関するデータ信号及び文字と画像に関するデータ信号をそれぞれ受信すると（Ｓ１０１）、テレビ放送処理部４において、前記映像と音声に関するデータ信号に基づき、テレビ番組放映処理部９は、テレビ番組をテレビ画面３上に放映させるための処理を行う（Ｓ１０２）。また、前記文字と画像に関するデータ信号に基づき、広告ポータルサイト特定情報表示処理部１２は、広告表示領域１０の下段部分１１に、前記広告ポータルサイト特定情報を１０分間、継続して静止表示させるための処理を行う（Ｓ１０３）と共に、広告特定情報表示処理部１４は、広告表示領域１０の上段部分１３に、前記広告特定情報を、１０秒間でスクロール表示させるための処理を行う（Ｓ１０４）。その結果、テレビ画面３上には、図３（ａ）に示されているように、テレビ番組が放映されると共に、広告表示領域１０には、下段部分１１に前記広告ポータルサイト特定情報が静止表示され、その上段部分１３に前記広告特定情報がスクロール表示される（Ｓ１０５）。
【００２１】
このようにテレビ画面３に前記テレビ番組、広告ポータルサイト特定情報、広告特定情報が表示された状態において、視聴者が、前記広告ポータルサイト特定情報のアイコン１６をクリック等により選択すると（Ｓ１０６）、インターネット処理部８は、そのクリック信号に基づき、インターネット通信部７からインターネット５を介してコンテンツ配信サーバ６にコンテンツの配信を命令する（Ｓ１０７）。この命令に基づき、コンテンツ配信サーバ６は、コンテンツをインターネット５経由でインターネット通信部７に配信し（Ｓ１０８）、インターネット処理部８は、図３（ｂ）に示すように、配信されたコンテンツ１７をテレビ画面３上に優先的に表示させる（Ｓ１０９）。
【００２２】
上記したように、本実施の形態によれば、テレビ番組の放映中、テレビ画面３の下部に前記広告ポータルサイト特定情報が所定時間、静止表示されているため、視聴者がスクロール表示されている広告に関する詳細情報を知りたいと思った時に、前記視聴者に対して前記広告ポータルサイト特定情報のアイコン１６をクリックするのに十分な時間を付与することができる。そして、視聴者がそのアイコン１６をクリックすると、直ちに、テレビ画面３上に前記広告ポータルサイトのコンテンツ１７が表示されるようになっているため、視聴者が知りたい情報を知りたいと思った時に、タイムリーに提供することができる。
【００２３】
このように、本実施の形態に係るテレビ広告表示システム及びその方法は、最近、ウェブ上において、サイト同士で相互リンクを張って各サイトへのアクセス数を伸ばすために、いわゆるブログ（Blog）と呼ばれるウェブサイトを作ることが盛んに行われているのと同様に、言わば、テレビ画面とウェブサイトとの相互リンクであり、両者を融合させる仕組みであると言うことができる。
【００２４】
なお、図４に示すように、テレビ画面３の左側上部に第２の広告表示領域１５を設け、この第２の広告表示領域１５にさらに複数（図３では４個）の広告を短時間、同時に表示可能なように構成することもできる。この場合、さらに多くの広告を表示することが可能となるため、広告単価をさらに低く抑えることができる。
【００２５】
次に、図５を参照しつつ、本発明の第２の実施の形態に係るテレビ広告表示システム及びその方法について説明する。ここで、図５は本実施の形態に係るテレビ広告表示配信システムの全体構成を示す概略図である。なお、以下の説明においては、説明の簡略化のため、上記した第１の実施の形態と同様の構成については、図５中、図１〜図４と同一の符号を付し、その構成及び作用についての詳細な説明は省略する。
【００２６】
本実施の形態に係るテレビ広告表示配信システムは、インターネット受信機能を備えていないテレビに適用したものであり、アンテナ１と、テレビ放送受信部２と、テレビ放送処理部４と、テレビ画面３とから概略構成されており、テレビ放送処理部２は、テレビ番組放映処理部９と、広告ポータルサイト特定情報表示処理部１２と、広告特定情報表示処理部１４とを備えている。
【００２７】
そして、アンテナ１を介してテレビ放送受信部２が受信した各種データ信号に基づき、テレビ放送処理部４のテレビ番組放映処理部９、広告ポータルサイト特定情報表示処理部１２、広告特定情報表示処理部１４がそれぞれ所定の処理を行うことにより、テレビ画面３上には、テレビ番組が放映されると共に、広告表示領域１０の下段部分１１に前記広告ポータルサイト特定情報が静止表示され、その上段部分１３に前記広告特定情報がスクロール表示される。
【００２８】
このように、テレビ番組の放映中、テレビ画面３の下部に前記広告ポータルサイト特定情報が所定時間、静止表示されているため、視聴者がスクロール表示されている広告に関する詳細情報を知りたいと思った時に、前記視聴者に対して前記広告ポータルサイト特定情報を書き留めたり、暗記したりするのに十分な時間を付与することができる。したがって、視聴者は、前記テレビ番組の終了後等に、パソコン１８のブラウザを立ち上げ、インターネット５を経由してコンテンツ配信サーバ６にアクセスし、その広告の詳細情報を入手することが可能となる。
【００２９】
なお、上記した第１及び第２の実施の形態においては、広告ポータルサイト特定情報表示処理部１２及び広告特定情報表示処理部１４がそれぞれテレビ放送の受信側に設けられているが、テレビ放送の送信側に設けられていてもよく、例えば、これらの処理部１２，１４により、放送番組を記録したビデオフィルムの下部に予め前記広告特定情報と広告ポータルサイト特定情報を上下２段で焼き付ける等、各種変更が可能である。
【００３０】
また、本発明は、ＨＴＭＬ（Hyper Text
Markup Language）とＢＭＬ（Broadcast
Markup Language）又はＭＨＰ（Multimedia
Home Platform）との間において共通のブラウザソフトを使用することもでき、この場合には、例えば、テレビ放送の送信側が予め広告に関する詳細情報を配信しておき、テレビ画面３上からの視聴者の選択に基づきその詳細情報をテレビ画面３上に表示させるように構成したり、或いは、テレビに表示された広告情報をハードディスクに保存し、テレビ画面３上からの視聴者の選択に基づきアプリケーションソフトを起動させ、一度、放映された広告情報を再現させるように構成したり等、することも可能である。
【００３１】
さらに、本発明は、上記した広告の他、ニュース等の他の情報を表示するシステム及びその方法にも適用可能である。
【図面の簡単な説明】
【００３２】
【図１】本発明の第１の実施の形態に係るテレビ広告表示システムの全体構成を示す概略図である。
【図２】本発明の第１の実施の形態に係るテレビ広告表示方法の処理手順を示すフローチャートである。
【図３】本発明の第１の実施の形態に係るテレビ広告表示システムにおいて、（ａ）はテレビ番組放映中のテレビ画面を示す正面図であり、（ｂ）は広告ポータルサイトを表示中のテレビ画面を示す正面図である。
【図４】本発明の第１の実施の形態に係るテレビ広告表示システムにおいて、テレビ画面に広告を表示した別の例を示す正面図である。
【図５】本発明の第２の実施の形態に係るテレビ広告表示システムの全体構成を示す概略図である。
【符号の説明】
【００３３】
２          テレビ放送受信部
３          テレビ画面
５          インターネット
７          インターネット通信部
８          インターネット処理部
１０        広告表示領域
１１        下段部分
１２        広告ポータルサイト特定情報表示処理部
１３        上段部分
１４        広告特定情報表示処理部
１６        アイコン
【図１】
2006246147.tif 000003
【図２】
2006246147.tif 000004
【図３】
2006246147.tif 000005
【図４】
2006246147.tif 000006
【図５】
2006246147.tif 000007